【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
遊技球の入球を契機に、当りか否かの当り抽選の権利を付与する始動口と、
前記始動口へ入球した遊技球を検知する入球検知手段と、
前記当り抽選を行う当り抽選手段と、
前記当り抽選の抽選結果を導出する結果導出演出を導出手段に実行させる結果導出演出制御手段と、
前記当り抽選に当選した場合の当りの種類を決定する当り種決定手段と、
前記当り抽選に当選した場合に当該当選の対象となる結果導出演出の終了後、前記当り種決定手段が決定した当りの種類に基づき特別入賞手段の開放及び閉鎖を制御する開閉制御手段と、
前記特別入賞手段が開放していることを報知する報知手段における報知演出の実行状態を制御する制御手段と、を備え、
前記開閉制御手段は、
前記特別入賞手段の開放状態を第１の開放状態とするときには前記特別入賞手段に遊技球を入球させることの容易な第１時間を上限として開放を維持する一方、前記特別入賞手段の開放状態を第２の開放状態とするときには前記第１時間よりも短い第２時間を上限として開放を維持し、
前記当りの種類には、前記特別入賞手段の少なくとも１回の開放を第２の開放状態とする一方で前記特別入賞手段の少なくとも１回の開放を第１の開放状態とする特殊当りが含まれ、
前記制御手段は、
前記開閉制御手段が前記特別入賞手段の開放状態を前記第１の開放状態とすることに伴って前記報知演出の実行状態を第１の実行状態に制御し、前記開閉制御手段が前記特別入賞手段の開放状態を前記第１の開放状態から前記第２の開放状態へ切り替えることに伴って前記報知演出の実行状態を前記第１の実行状態から第２の実行状態へ切り替えることを特徴とする遊技機。
【請求項２】
遊技球の入球を契機に、当りか否かの当り抽選の権利を付与する始動口と、
前記始動口へ入球した遊技球を検知する入球検知手段と、
前記当り抽選を行う当り抽選手段と、
前記当り抽選の抽選結果を導出する結果導出演出を導出手段に実行させる結果導出演出制御手段と、
前記当り抽選に当選した場合の当りの種類を決定する当り種決定手段と、
前記当り抽選に当選した場合に当該当選の対象となる結果導出演出の終了後、前記当り種決定手段が決定した当りの種類に基づき特別入賞手段の開放及び閉鎖を制御する開閉制御手段と、
前記特別入賞手段が開放していることを報知する報知手段における報知演出の実行状態を制御する制御手段と、を備え、
前記開閉制御手段は、
前記特別入賞手段の開放状態を第１の開放状態とするときには前記特別入賞手段に遊技球を入球させることの容易な第１時間を上限として開放を維持する一方、前記特別入賞手段の開放状態を第２の開放状態とするときには前記第１時間よりも短い第２時間を上限として開放を維持し、
前記当りの種類には、前記特別入賞手段の少なくとも１回の開放を第２の開放状態とする一方で前記特別入賞手段の少なくとも１回の開放を第１の開放状態とする特殊当りが含まれ、
前記制御手段は、
前記開閉制御手段が前記特別入賞手段の開放状態を前記第２の開放状態とすることに伴って前記報知演出の実行状態を第２の実行状態に制御し、前記開閉制御手段が前記特別入賞手段の開放状態を前記第２の開放状態から前記第１の開放状態へ切り替えることに伴って前記報知演出の実行状態を前記第２の実行状態から第１の実行状態へ切り替えることを特徴とする遊技機。
【請求項３】
前記当り抽選に当選したことを示す当り信号を遊技機外部へ出力する信号出力手段を備え、
前記特殊当りには、前記特別入賞手段の１回目から所定回数までの開放を前記第２の開放状態とした後、次の前記特別入賞手段の開放状態が前記第１の開放状態へ切り替わる短縮後特殊当りが含まれ、
前記信号出力手段は、
前記短縮後特殊当りに基づき前記開閉制御手段が前記特別入賞手段の開放及び閉鎖を制御する際、前記特別入賞手段の開放状態が前記第２の開放状態から前記第１の開放状態へ切り替わるタイミングに合わせて前記当り信号を出力することを特徴とする請求項２に記載の遊技機。
【請求項４】
前記報知手段は、画像情報に基づく表示画像を表示可能な表示手段であって、
前記報知演出の実行状態が前記第１の実行状態であるときには、前記報知演出の実行状態が前記第２の実行状態であるときと比較して、前記報知演出に伴う表示画像が大きいことを特徴とする請求項１〜請求項３のうち何れか一項に記載の遊技機。
【請求項５】
前記報知演出の実行状態が前記第１の実行状態であるときには前記報知手段にて前記報知演出が実行される一方、前記報知演出の実行状態が前記第２の実行状態であるときには前記報知手段にて前記報知演出が実行されないことを特徴とする請求項１〜請求項３のうち何れか一項に記載の遊技機。
【請求項６】
前記始動口へ遊技球を入球させるために遊技球を発射させる第１の遊技領域及び前記特別入賞手段へ遊技球を入球させるために遊技球を発射させる第２の遊技領域は、少なくとも一部の領域が異なり、
前記当り種決定手段が決定した種類の当りに基づく制御が開始されてから、前記報知手段とは別の報知手段における前記報知演出とは別の報知演出の実行状態を制御する報知演出制御手段をさらに備え、
前記報知演出制御手段は、
前記開閉制御手段が、前記当り種決定手段が決定した当りの種類に基づく前記特別入賞手段の開放及び閉鎖の制御を開始することに伴って前記別の報知演出の実行状態を制御することを特徴とする請求項１〜請求項５のうち何れか一項に記載の遊技機。
【手続補正２】
【補正対象書類名】明細書
【補正対象項目名】０００６
【補正方法】変更
【補正の内容】
【０００６】
上記問題点を解決するために、請求項１に記載の発明は、遊技球の入球を契機に、当りか否かの当り抽選の権利を付与する始動口と、前記始動口へ入球した遊技球を検知する入球検知手段と、前記当り抽選を行う当り抽選手段と、前記当り抽選の抽選結果を導出する結果導出演出を導出手段に実行させる結果導出演出制御手段と、前記当り抽選に当選した場合の当りの種類を決定する当り種決定手段と、前記当り抽選に当選した場合に当該当選の対象となる結果導出演出の終了後、前記当り種決定手段が決定した当りの種類に基づき特別入賞手段の開放及び閉鎖を制御する開閉制御手段と、前記特別入賞手段が開放していることを報知する報知手段における報知演出の実行状態を制御する制御手段と、を備え、前記開閉制御手段は、前記特別入賞手段の開放状態を第１の開放状態とするときには前記特別入賞手段に遊技球を入球させることの容易な第１時間を上限として開放を維持する一方、前記特別入賞手段の開放状態を第２の開放状態とするときには前記第１時間よりも短い第２時間を上限として開放を維持し、前記当りの種類には、前記特別入賞手段の少なくとも１回の開放を第２の開放状態とする一方で前記特別入賞手段の少なくとも１回の開放を第１の開放状態とする特殊当りが含まれ、前記制御手段は、前記開閉制御手段が前記特別入賞手段の開放状態を前記第１の開放状態とすることに伴って前記報知演出の実行状態を第１の実行状態に制御し、前記開閉制御手段が前記特別入賞手段の開放状態を前記第１の開放状態から前記第２の開放状態へ切り替えることに伴って前記報知演出の実行状態を前記第１の実行状態から第２の実行状態へ切り替えることを要旨とする。
【手続補正３】
【補正対象書類名】明細書
【補正対象項目名】０００７
【補正方法】変更
【補正の内容】
【０００７】
請求項２に記載の発明は、遊技球の入球を契機に、当りか否かの当り抽選の権利を付与する始動口と、前記始動口へ入球した遊技球を検知する入球検知手段と、前記当り抽選を行う当り抽選手段と、前記当り抽選の抽選結果を導出する結果導出演出を導出手段に実行させる結果導出演出制御手段と、前記当り抽選に当選した場合の当りの種類を決定する当り種決定手段と、前記当り抽選に当選した場合に当該当選の対象となる結果導出演出の終了後、前記当り種決定手段が決定した当りの種類に基づき特別入賞手段の開放及び閉鎖を制御する開閉制御手段と、前記特別入賞手段が開放していることを報知する報知手段における報知演出の実行状態を制御する制御手段と、を備え、前記開閉制御手段は、前記特別入賞手段の開放状態を第１の開放状態とするときには前記特別入賞手段に遊技球を入球させることの容易な第１時間を上限として開放を維持する一方、前記特別入賞手段の開放状態を第２の開放状態とするときには前記第１時間よりも短い第２時間を上限として開放を維持し、前記当りの種類には、前記特別入賞手段の少なくとも１回の開放を第２の開放状態とする一方で前記特別入賞手段の少なくとも１回の開放を第１の開放状態とする特殊当りが含まれ、前記制御手段は、前記開閉制御手段が前記特別入賞手段の開放状態を前記第２の開放状態とすることに伴って前記報知演出の実行状態を第２の実行状態に制御し、前記開閉制御手段が前記特別入賞手段の開放状態を前記第２の開放状態から前記第１の開放状態へ切り替えることに伴って前記報知演出の実行状態を前記第２の実行状態から第１の実行状態へ切り替えることを要旨とする。
【手続補正４】
【補正対象書類名】明細書
【補正対象項目名】０００８
【補正方法】変更
【補正の内容】
【０００８】
請求項３に記載の発明は、請求項２に記載の遊技機において、前記当り抽選に当選したことを示す当り信号を遊技機外部へ出力する信号出力手段を備え、前記特殊当りには、前記特別入賞手段の１回目から所定回数までの開放を前記第２の開放状態とした後、次の前記特別入賞手段の開放状態が前記第１の開放状態へ切り替わる短縮後特殊当りが含まれ、前記信号出力手段は、前記短縮後特殊当りに基づき前記開閉制御手段が前記特別入賞手段の開放及び閉鎖を制御する際、前記特別入賞手段の開放状態が前記第２の開放状態から前記第１の開放状態へ切り替わるタイミングに合わせて前記当り信号を出力することを要旨とする。
【手続補正５】
【補正対象書類名】明細書
【補正対象項目名】０００９
【補正方法】変更
【補正の内容】
【０００９】
請求項４に記載の発明は、請求項１〜請求項３のうち何れか一項に記載の遊技機において、前記報知手段は、画像情報に基づく表示画像を表示可能な表示手段であって、前記報知演出の実行状態が前記第１の実行状態であるときには、前記報知演出の実行状態が前記第２の実行状態であるときと比較して、前記報知演出に伴う表示画像が大きいことを要旨とする。
【手続補正６】
【補正対象書類名】明細書
【補正対象項目名】００１０
【補正方法】変更
【補正の内容】
【００１０】
請求項５に記載の発明は、請求項１〜請求項３のうち何れか一項に記載の遊技機において、前記報知演出の実行状態が前記第１の実行状態であるときには前記報知手段にて前記報知演出が実行される一方、前記報知演出の実行状態が前記第２の実行状態であるときには前記報知手段にて前記報知演出が実行されないことを要旨とする。
【手続補正７】
【補正対象書類名】明細書
【補正対象項目名】００１１
【補正方法】変更
【補正の内容】
【００１１】
請求項６に記載の発明は、請求項１〜請求項５のうち何れか一項に記載の遊技機において、前記始動口へ遊技球を入球させるために遊技球を発射させる第１の遊技領域及び前記特別入賞手段へ遊技球を入球させるために遊技球を発射させる第２の遊技領域は、少なくとも一部の領域が異なり、前記当り種決定手段が決定した種類の当りに基づく制御が開始されてから、前記報知手段とは別の報知手段における前記報知演出とは別の報知演出の実行状態を制御する報知演出制御手段をさらに備え、前記報知演出制御手段は、前記開閉制御手段が、前記当り種決定手段が決定した当りの種類に基づく前記特別入賞手段の開放及び閉鎖の制御を開始することに伴って前記別の報知演出の実行状態を制御することを要旨とする。
【手続補正８】
【補正対象書類名】明細書
【補正対象項目名】０３２９
【補正方法】変更
【補正の内容】
【０３２９】
（イ）前記第２の報知手段は、前記第１の報知手段と比して大きく、遊技球を発射させる遊技盤において遊技者の視界に入り易い位置に配設されている。
【手続補正９】
【補正対象書類名】明細書
【補正対象項目名】０３３０
【補正方法】変更
【補正の内容】
【０３３０】
（ロ）前記導出手段は、前記第２の報知手段である。
（ハ）前記第２の制御手段によって前記第２の報知演出の実行状態が前記第２の実行状態から前記第１の実行状態へ切り替えられるタイミングと、前記信号出力手段によって前記当り信号が出力されるタイミングと、が同期する。
【手続補正１０】
【補正対象書類名】明細書
【補正対象項目名】０３３１
【補正方法】変更
【補正の内容】
【０３３１】
（ニ）遊技機への電源供給の遮断時における遊技状態を記憶保持可能な記憶保持手段と、前記遊技球への電源供給が再開された際に、前記記憶保持手段によって記憶保持されている遊技状態へ復帰させる復帰手段と、前記復帰手段による遊技状態の復帰に伴って前記特別入賞手段の開放が再開されるとき、当該特別入賞手段の開放状態を確認する開放状態確認手段と、を備え、前記第１の制御手段は、前記開放状態確認手段によって前記特別入賞手段の開放状態が前記第１の開放状態又は前記第２の開放状態であることが確認された場合は、前記第１の報知演出を実行させ、前記第２の制御手段は、前記開放状態確認手段によって前記特別入賞手段の開放状態が前記第１の開放状態であることが確認された場合は前記第２の報知演出の実行状態を前記第１の実行状態に制御する一方で、前記開放状態確認手段によって前記特別入賞手段の開放状態が前記第２の開放状態であることが確認された場合は前記第２の報知演出の実行状態を前記第２の実行状態に制御する。